(57)【要約】【課題】什器を構成する構成部材又は平板部材自体をアンテナとして機能させることが可能な什器及び平板部材を提供する。【解決手段】誘電体材料からなる平板状の心材と、前記心材の対向する一対の平板面のうち、一方の面上に貼着され、放射電極となる導電性の電極パターンが形成された第１のシート層と、前記一対の平板面の他方の面上に貼着され、接地電極となる導電性の電極パターンが形成された第２のシート層とを備える平板部材を、商品陳列用什器の構成部材として用いる。【選択図】図１
2010219648.tif 000002
【特許請求の範囲】
【請求項１】
商品を陳列するための什器であって、
前記什器を構成する構成部材のうち、誘電体材料からなる平板部材が所定の電波出力を行うアンテナとして形成されていることを特徴とする什器。
【請求項２】
前記平板部材の対向する一対の平板面のうち、一方の面上に放射電極となる電極パターンが形成された第１のシートが貼着され、他方の面上に接地電極となる電極パターンが形成された第２のシートが貼着されていることを特徴とする請求項１に記載の什器。
【請求項３】
前記平板部材は、前記商品が陳列される棚板であることを特徴とする請求項１又は２に記載の什器。
【請求項４】
誘電体材料からなる平板状の心材と、
前記心材の対向する一対の平板面のうち、一方の面上に貼着され、放射電極となる電極パターンが形成された第１のシート層と、
前記一対の平板面の他方の面上に貼着され、接地電極となる電極パターンが形成された第２のシート層と、
を備えることを特徴とする平板部材。
【発明の詳細な説明】
【技術分野】
【０００１】
本発明は、店舗等で使用される什器及び平板部材に関する。
【背景技術】
【０００２】
従来、店舗では各商品に無線タグ（ＲＦＩＤタグ、ＩＣタグ等ともいう）を付加することで、無線タグが保持する情報に基づいて商品を管理することが行われている。この無線タグでは、リーダ装置からの電波によって起電力が発生し、内蔵するＩＣ回路が動作することで、予め保持したデータをリーダ装置に送信するよう構成されている。そのため、電波照射のためのアンテナは、無線タグに電波を照射することが可能な位置に設けられる。
【０００３】
アンテナの設置場所、設置方法については種々の形態が提案されおり、例えば、特許文献１には、出入り口近傍の床面にシート状のアンテナを載置する技術が開示されている。また、商品はシェルフ等の商品陳列用の什器に陳列されることが一般的であるため、棚板等に無線タグ読み取りのためのアンテナを配置することが行われている。
【発明の概要】
【発明が解決しようとする課題】
【０００４】
ところで、棚板等にアンテナを配置する場合、該アンテナの体積に応じた分だけ商品の配置スペースが減少することになる。そのため、特許文献１に開示されたようなシート状アンテナを棚板上に配置する方策が考えられるが、形状が固定的であるため、配置可能な位置が制限され利便性に欠けるという問題がある。また、特許文献１では段差を低減するため平坦なコイル状のアンテナを用いる必要があり、立体的な構造を有するアンテナを用いることが困難であるという問題がある。
【０００５】
本発明は上記に鑑みてなされたものであって、什器を構成する構成部材又は平板部材自体をアンテナとして機能させることが可能な什器及び平板部材を提供することを目的とする。
【課題を解決するための手段】
【０００６】
上述した課題を解決し、目的を達成するために、本発明は、商品を陳列するための什器であって、前記什器を構成する構成部材のうち、誘電体材料からなる平板部材が所定の電波出力を行うアンテナとして形成されていることを特徴とする。
【０００７】
また、本発明は、誘電体材料からなる平板状の心材と、前記心材の対向する一対の平板面のうち、一方の面上に貼着され、放射電極となる電極パターンが形成された第１のシート層と、前記一対の平板面の他方の面上に貼着され、接地電極となる電極パターンが形成された第２のシート層と、を備えることを特徴とする。
【発明の効果】
【０００８】
本発明によれば、什器を構成する構成部材又は平板部材自体をアンテナとして機能させることが可能な什器及び平板部材を提供することができる。
【図面の簡単な説明】
【０００９】
【図１】図１は、本発明の実施の一形態に係る商品陳列用什器１００の全体構造を概略的に示した図である。
【図２】図２は、図１に示した棚板３０の構造を説明するための図である。
【図３】図３は、図２に示したアンテナパターン３２２と、ＧＮＤパターン３３２との関係を模式的に示した図である。
【図４】図４は、商品陳列用什器１００に商品Ｇを陳列した一例を示す図である。
【図５】図５は、放射電極パターン３２２１の他の形態を示した図である。
【発明を実施するための形態】
【００１０】
以下、添付図面を参照して、本発明に係る什器及び平板部材の最良な実施形態を詳細に説明する。なお、以下に説明する実施形態によりこの発明が限定されるものではない。
【００１１】
図１は、本発明の実施の一形態に係る商品陳列用什器１００の全体構造を概略的に示した図である。同図に示したように、商品陳列用什器１００は、下部に配置された支持盤１０と、この支持盤１０上の中央に立設された背板２０と、背板２０の前後に上下三段に配置された商品載置用の平板である棚板３０とを有する構成となっている。
【００１２】
商品陳列用什器１００は、店舗等に配置されることを前提とした商品陳列用の什器であって、棚板３０に商品を載置（陳列）することが可能となっている。棚板３０に載置される商品には無線タグ（図示せず）がそれぞれ付加されているものとし、各無線タグには他の無線タグと識別するためのタグＩＤの他、不正持ち出しを検出するためのフラグ情報等が予め記憶されているものとする。
【００１３】
なお、図１に示した接続線Ｌは同軸ケーブル等であって、その一端が棚板３０に設けられた後述する導線パターン３２２２と接続され、他端が図示しない無線タグのリーダ装置と接続されている。
【００１４】
以下、店舗内（商品陳列用什器１００）に設けられた、商品に付加された無線タグと交信を行うためのアンテナ部について説明する。
【００１５】
図２は、図１に示した棚板３０の構造を説明するための図である。図２に示すように、棚板３０は、心材３１と、この心材３１の上面、即ち商品が載置される側の面（以下、載置面という）に貼着された放射シート３２と、この載置面に対向する心材３１の下面に貼付されたＧＮＤシート３３とから構成されている。
【００１６】
心材３１は、主にプラスチックや木材（ＭＤＦ材等の合成木材を含む）、ガラス等の誘電体部材により形成されており、図示しない係止部材により背板２０に係止されている。なお、心材３１を木枠組だけで構成し、内部を中空にしたフラッシュ構造としてもよい。
【００１７】
放射シート３２は、絶縁性のフィルム３２１と、導電性の金属（箔）により形成されたアンテナパターン３２２とを有して構成されている。
【００１８】
フィルム３２１は、ポリカーボネイトやポリプロピレン等の絶縁性に優れた材料により形成されている。アンテナパターン３２２は、フィルム３２１の一方の面（以下、アンテナ面という）上に、銅やアルミニウム等の導電性に優れた材料からなる金属箔が所定のパターンで蒸着されることで形成されている。このアンテナパターン３２２は、方形状からなる複数の放射電極パターン３２２１と、各放射電極パターン３２２１を接続する導線パターン３２２２とにより構成される。
【００１９】
ここで、放射電極パターン３２２１は、後述するパッチアンテナにおける放射電極として機能し、導線パターン３２２２を介して供給される電力に応じて、無線タグと交信するための電波（電界）を放射する。導線パターン３２２２は、図１に示した接続線Ｌと接続されており、図示しないリーダ装置と放射電極パターン３２２１とを接続する導線として機能する。
【００２０】
放射シート３２は、上述したアンテナ面に形成された接着層（図示せず）により、心材３１の載置面上に貼着されることで、心材３１と一体化される。なお、放射シート３２のアンテナ面に再接着性の接着層を形成することで、所望の場所に放射シート３２を貼着したり、剥離したりすることが可能となる。
【００２１】
ＧＮＤシート３３は、絶縁性のフィルム３３１と、導電性の金属（箔）により形成されるＧＮＤパターン３３２とを有して構成されている。
【００２２】
フィルム３３１は、フィルム３２１と同様の絶縁性の材料からなり、このフィルム３３１の一方の面（以下、ＧＮＤ面という）上に、導電性の金属箔が蒸着されることでＧＮＤパターン３３２が形成されている。
【００２３】
ＧＮＤパターン３３２は、アンテナパターン３２２と同様の金属箔から構成され、図示しない接続部材により商品陳列用什器１００に接続されることで、後述するパッチアンテナにおけるグラウンド（接地）電極として機能する。なお、図２の例では、フィルム３３１の全面にＧＮＤパターン３３２を形成した例を示したが、これに限らず、心材３１を介して対向配置される放射電極パターン３２２１の素子面積を包含する大きさで形成されていれば、特に問わないものとする。
【００２４】
ＧＮＤシート３３は、上述したＧＮＤ面に形成された接着層（図示せず）により、心材３１の載置面と対向する面上に貼着されることで、心材３１と一体化される。なお、ＧＮＤシート３３のＧＮＤ面に再接着性の接着層を形成することで、所望の場所にＧＮＤシート３３を貼着したり、剥離したりすることが可能となる。
【００２５】
図３は、上述した放射電極パターン３２２１と、ＧＮＤパターン３３２との関係を模式的に示した図である。同図に示したように、放射電極パターン３２２１とＧＮＤパターン３３２とは、心材３１を介して対向配置され、全体としてパッチアンテナを構成している。即ち、誘電性材料からなる心材３１が基板として働き、棚板３０自体がパッチアンテナとして機能する。
【００２６】
ここで、パッチアンテナの放射指向性は、図３の符号Ｄで示したアンテナパターン３２２の面方向となる。そのため、上述したように、商品が載置される載置面側に放射シート３２を貼着することで、各棚板３０に載置される商品Ｇに付加された無線タグ（図示せず）と交信することが可能となる（図４参照）。ここで、図４は、商品陳列用什器１００に商品Ｇを陳列した一例を示した図である。
【００２７】
なお、本実施形態では、放射電極パターン３２２１を方形としたパッチアンテナ、即ち直線偏波パッチアンテナの例を示したが、これに限らないものとする。例えば、放射電極パターン３２２１にノッチ（切り込み）等の摂動要素を入れることで、円偏波パッチアンテナとする形態としてもよい。また、放射電極パターン３２２１の形状も方形に限らず、円形等任意の形状を用いることとしてもよい。
【００２８】
以上、本実施形態によれば、商品陳列用什器１００の棚板３０を、誘電性材料からなる心材３１の対向面上に、アンテナパターン３２２とＧＮＤパターン３３２とをそれぞれ貼着した構造とすることで、棚板３０自体をパッチアンテナとして機能させることができる。
【００２９】
なお、上記実施形態では、棚板３０の上面に放射シート３２を貼着した例について説明したが、商品陳列用什器１００の構造や、物品の配置の仕方に応じて、放射シート３２を貼着する位置を変更してもよい。例えば、棚板３０の最上面に物品を載置しないのであれば、棚板３０の下面側に放射シート３２を貼着する形態としてもよい。
【００３０】
また、上記実施形態では、商品陳列用什器１００を構成する構成部材として、棚板３０に放射シート３２及びＧＮＤシート３３を貼着した形態について説明したが、これに限らず、他の構成部材に放射シート３２及びＧＮＤシート３３を貼着する形態としてもよい。
【００３１】
例えば、平板状の背板２０に放射シート３２及びＧＮＤシート３３を貼着してもよく、棚板３０が係止される一対の面のうち、一方の面側に放射シート３２を貼着し、他方の面側にＧＮＤシート３３を貼着することで、棚板３０の載置面と直交する方向にパッチアンテナの放射指向性を設定することが可能となる。
【００３２】
また、上記実施形態では、棚板３０をパッチアンテナとして機能させる形態を説明したが、これに限らず、他の種類のアンテナを実現することとしてもよい。例えば、放射電極パターン３２２１の形状を、図５に示したように、棚板３０の長手方向に沿設した直線状とすることで、ダイポールアンテナを形成する形態としてもよい。ここで、図５は、放射電極パターン３２２１の他の形態を示した図である。なお、ダイポールアンテナとする場合、ＧＮＤシート３３は不要となるため、放射シート３２と心材３１を介して対向する面には、何も貼着しない形態としてもよいし、同形状のダイポールアンテナを有した放射シート３２を貼着する形態としてもよい。
【００３３】
また、上記実施形態では、ＧＮＤパターン３３２をフィルム３３１とともに貼着する形態としたが、心材３１の一方の面がアルミニウム等の導電体部材で覆われている場合には、この導電体部材をＧＮＤパターン３３２として用いることとしてもよい。
【００３４】
以上、発明の実施の形態について説明したが、本発明はこれに限定されるものではなく、本発明の主旨を逸脱しない範囲での種々の変更、置換、追加等が可能である。
【産業上の利用可能性】
【００３５】
以上のように、本発明にかかる什器及び平板部材は、店舗等で利用される什器及び平板部材に有用であり、特に、無線タグが付加された商品の陳列に係る什器及び平板部材に適している。
【符号の説明】
【００３６】
１００  商品陳列用什器
１０  支持盤
２０  背板
３０  棚板
３１  心材
３２  放射シート
３２１  フィルム
３２２  アンテナパターン
３２２１  放射電極パターン
３２２２  導線パターン
３３  ＧＮＤシート
３３１  フィルム
３３２  ＧＮＤパターン
【先行技術文献】
【特許文献】
【００３７】
【特許文献１】特開２００２−２６６２５号公報
【図１】
2010219648.tif 000003
【図２】
2010219648.tif 000004
【図３】
2010219648.tif 000005
【図４】
2010219648.tif 000006
【図５】
2010219648.tif 000007